(57)【要約】      （修正有）【課題】特定者のヒトフェロモンを利用し、使用者の脳下垂体を直接刺激してこれを活性化する視床下部活性化キットならびにこれに用いられるヒトフェロモン吸着体、ティッシュ収納体および吸着体ホルダを提供する。【解決手段】特定者が身に着け、かつ該特定者の汗腺を通して放出されたヒトフェロモンを吸着する吸汗性素材からなるヒトフェロモン吸着体（ペンダントトップ１１）と、ティッシュの収納空間にヒトフェロモン吸着体の保管領域１３を有し、かつティッシュ取り出し口１４が形成されたティッシュ収納体１５とを備える。ヒトフェロモンがティッシュ収納体に収納されたティッシュ１２に移り、ティッシュ取り出し口から取り出したティッシュを使用することで、ティッシュから放散したヒトフェロモンにより使用者の視床下部を刺激することができる。【選択図】図１
0003192474.tif 000002
【実用新案登録請求の範囲】
【請求項１】
特定者が身に着け、かつ該特定者の汗腺を通して放出されたヒトフェロモンを吸着する吸汗性素材からなるヒトフェロモン吸着体と、
ティッシュの収納空間に前記ヒトフェロモン吸着体の保管領域を有し、かつティッシュ取り出し口が形成されたティッシュ収納体とを備え、
前記ヒトフェロモン吸着体を前記ヒトフェロモン吸着体の保管領域に保管後、前記ティッシュ取り出し口から取り出した前記ティッシュを使用することで、該ティッシュから放散されたヒトフェロモンにより使用者の視床下部を刺激する視床下部活性化キット。
【請求項２】
前記ヒトフェロモン吸着体は、ペンダントトップである請求項１に記載の視床下部活性化キット。
【請求項３】
前記ヒトフェロモン吸着体は、多数枚の吸汗性シートを分離可能に積層したシート状積層体を有している請求項１または請求項２に記載の視床下部活性化キット。
【請求項４】
前記多数枚の吸汗性シートの裏面には、該吸汗性シートを前記ティッシュ収納体の内面に貼着する粘着剤が塗布された請求項３に記載の視床下部活性化キット。
【請求項５】
前記ティッシュ収納体には、外部から前記ヒトフェロモン吸着体の保管領域に前記ヒトフェロモン吸着体を出し入れする吸着体出し入れ口と、該吸着体出し入れ口を塞ぐ開閉蓋とが配設された請求項１に記載の視床下部活性化キット。
【請求項６】
前記ティッシュ収納体のティッシュ取り出し口の形成部分に掛止されて、前記ヒトフェロモン吸着体を前記ヒトフェロモン吸着体の保管領域に保持する吸着体ホルダを有した請求項１〜請求項５のうち、何れか１項に記載の視床下部活性化キット。
【請求項７】
前記吸着体ホルダの上部には、外部露出される装飾体が設けられた請求項６に記載の視床下部活性化キット。
【請求項８】
請求項１〜請求項４のうち、何れか１項に記載のヒトフェロモン吸着体。
【請求項９】
請求項１または請求項５に記載のティッシュ収納体。
【請求項１０】
請求項６または請求項７に記載の吸着体ホルダ。
【考案の詳細な説明】
【技術分野】
【０００１】
この考案は、例えば人間の胸や腋下の汗腺などを通して放出されるヒトフェロモンを無臭（微香）の匂いとしてティッシュに移すことで、臭覚を通して神経・内分泌系の反応をあらわす視床下部を刺激する視床下部活性化キットならびにこれに用いられるヒトフェロモン吸着体、ティッシュ収納体および吸着体ホルダに関する。
【背景技術】
【０００２】
フェロモンは、「あらゆる個体から外部に分泌され、同種の他方に受け取られ、後者に特異的な反応、例えば特定の行動または変化のプロセスを生じさせる物質」として定義される（ＫａｒｌｓｏｎおよびＬｕｓｃｈｅｒ  １９５９、ｐ．５５）。
近年、人間にもフェロモンが存在し、これを鼻の中のＶＮＯ＝鋤鼻（じょび）器官が感知し、脳の視床下部が反応することによって、人間（特に異性）の行動に影響を与えることが発見された。例えば、１９８８年にＬａｂｏｗｓは、ヒト腋下の汗から検出した１０種類のステロイドのうち、アンドロステノン（５ａ−アンドロスタ−１６−エン−オン）、アンドロステンジオール（５ａ−アンドロスタ−１６−エン−３−ａ−オール）、アンドロスタンジオン（アンドロスタ−４，１６−ジエン−３−オン）の３つが、ヒトフェロモンであると報告している。
【０００３】
この研究報告後、ヒト合成フェロモンが製造され、この合成物質を利用した例えば特許文献１が開発されている。特許文献１には、ヒト合成フェロモンを衣類、肌着類、宝飾品などに適用するためのものが開示されている。具体的には、使用者が手で圧力を加えるなどの単純な動作を行うことで、少なくとも前記３種の肯定的ヒト物質を含むヒト合成フェロモンが外部に放散されるように、予めこの合成物質を衣類、肌着類、宝飾品などに配置しておくものである。
【先行技術文献】
【特許文献】
【０００４】
【特許文献１】特表２００９−５３０３６８号公報
【考案の概要】
【考案が解決しようとする課題】
【０００５】
このように、特許文献１に記載された従来技術によれば、使用者が外圧をかけるなどの動作を行うことで、宝飾品などからヒト合成フェロモンを放散させて使用者の視床下部を刺激していた。そのため、使用者に放散動作を強いることとなり、面倒で手間がかかっていた。
また、特許文献１に記載があるように、ヒトフェロモンは人間の胸や腋下の汗腺などから微量だけしか放出されない物質である。そのため、仮に使用者と特定の関係（夫婦、恋人など）にある人から使用者がペンダント（宝飾品）を貰い受け、それを使用者が身に着けても、ペンダントから使用者の鼻までは数１０ｃｍの距離があり、かつ大気開放された環境にあるため、ペンダントに付着した特定者のヒトフェロモンの影響はほとんど得られなかった。
【０００６】
さらに、このヒト合成フェロモンは、産業上の利用のために開発された物質であることから、使用者に対して、上述した「自分と同じ種の（ヒト）フェロモンによる特定の行動または変化のプロセスを生じさせる」という効果を得ることは可能である。しかしながら、ヒト合成フェロモンは特定の人間が固有する（天然の）ヒトフェロモンではない。そのため、例えば使用者と夫婦関係または恋人関係にある場合のような、使用者と適合した個人のヒトフェロモンを嗅いだ際にのみ認められる、免疫抗体の型を知らせるＨＬＡ遺伝子による「性的魅力および感情的関心による注目を強く引き起こす効果」や「高い癒し効果」は得られなかった。
【０００７】
そこで、考案者は、人間の汗腺から微量だけしか放出されない（天然の）ヒトフェロモンを、効率良く利用する研究を行った結果、特定者のヒトフェロモンを特定者が装着したヒトフェロモン吸着体に吸着し、これをティッシュ収納体（容器）に保管してティッシュに付着させ、その後、使用者がティッシュを使用できるキット構成とすれば、使用者と特定の（特別な）関係にある個人が有するヒトフェロモンを、空気中にほとんど拡散させず、その高濃度のヒトフェロモンによって使用者の視床下部を直接刺激可能なことを知見し、この考案を完成させた。
【０００８】
この考案は、特定者のヒトフェロモンを利用し、これを空気中にほとんど拡散させずに使用者の脳下垂体を直接刺激して活性化することができるヒトフェロモンを利用した視床下部活性化キットならびにこれに用いられるヒトフェロモン吸着体、ティッシュ収納体および吸着体ホルダを提供することを目的としている。
【課題を解決するための手段】
【０００９】
請求項１に記載の考案は、特定者が身に着け、かつ該特定者の汗腺を通して放出されたヒトフェロモンを吸着する吸汗性素材からなるヒトフェロモン吸着体と、ティッシュの収納空間に前記ヒトフェロモン吸着体の保管領域を有し、かつティッシュ取り出し口が形成されたティッシュ収納体とを備え、前記ヒトフェロモン吸着体を前記ヒトフェロモン吸着体の保管領域に保管後、前記ティッシュ取り出し口から取り出した前記ティッシュを使用することで、該ティッシュから放散されたヒトフェロモンにより使用者の視床下部を刺激する視床下部活性化キットである。
【００１０】
請求項２に記載の考案は、前記ヒトフェロモン吸着体は、ペンダントトップである請求項１に記載の視床下部活性化キットである。
【００１１】
請求項３に記載の考案は、前記ヒトフェロモン吸着体は、多数枚の吸汗性シートを分離可能に積層したシート状積層体を有している請求項１または請求項２に記載の視床下部活性化キットである。
【００１２】
請求項４に記載の考案は、前記多数枚の吸汗性シートの裏面には、該吸汗性シートを前記ティッシュ収納体の内面に貼着する粘着剤が塗布された請求項３に記載の視床下部活性化キットである。
【００１３】
請求項５に記載の考案は、前記ティッシュ収納体には、外部から前記ヒトフェロモン吸着体の保管領域に前記ヒトフェロモン吸着体を出し入れする吸着体出し入れ口と、該吸着体出し入れ口を塞ぐ開閉蓋とが配設された請求項１に記載の視床下部活性化キットである。
【００１４】
請求項６に記載の考案は、前記ティッシュ収納体のティッシュ取り出し口の形成部分に掛止されて、前記ヒトフェロモン吸着体を前記ヒトフェロモン吸着体の保管領域に保持する吸着体ホルダを有した請求項１〜請求項５のうち、何れか１項に記載の視床下部活性化キットである。
【００１５】
請求項７に記載の考案は、前記吸着体ホルダの上部には、外部露出される装飾体が設けられた請求項６に記載の視床下部活性化キットである。
【００１６】
請求項８に記載の考案は、請求項１〜請求項４のうち、何れか１項に記載のヒトフェロモン吸着体である。
【００１７】
請求項９に記載の考案は、請求項１または請求項５に記載のティッシュ収納体である。
【００１８】
請求項１０に記載の考案は、請求項６または請求項７に記載の吸着体ホルダである。
【００１９】
ヒトフェロモンとは、特定者の胸や腋下（脇の下）の汗腺などから放出されるアンドロステノン、アンドロステンジオール、アンドロスタンジオンなどをいう。ヒトフェロモンとしては、一般的に２つの変形：即時の行動反応を引き起こす遊離フェロモン、および長期に心理学的反応を開始する第一フェロモンが認められている。
ここでいう「特定者」には、使用者と特定の関係（夫婦、恋人など）にある個人（異性（又は同性））を含む。
【００２０】
「視床下部活性化キット」の構成体としては、少なくともヒトフェロモン吸着体とティッシュ収納体とを有する。その他、ティッシュ収納体のティッシュ取り出し口に掛止されて、ヒトフェロモン吸着体をヒトフェロモン吸着体の保管領域に保持する吸着体ホルダなども含まれる。
この視床下部活性化キットは、「特定者の汗腺を通して放出されるヒトフェロモンを、前記特定者が身に着けたヒトフェロモン吸着体に吸着し、その後、該フェロモン吸着体をティッシュ収納体に収納することにより、前記ヒトフェロモンを前記ティッシュ収納体に収納されたティッシュに移し、前記ティッシュ収納体から取り出された前記ティッシュを使用することで、該ティッシュから放散したヒトフェロモンにより使用者の視床下部を刺激するヒトフェロモンを利用した視床下部活性化方法」で使用される。
【００２１】
ヒトフェロモン吸着体は、特定者の胸や腋下の汗腺などから放出されるヒトフェロモンを吸着可能な素材からなる部材であれば任意である。例えば、ペンダントなどの宝飾品、衣類、肌着類の他、この衣類（肌着を含む）や肌などに貼る粘着シートなどを採用することができる。ヒトフェロモン吸着体には、ヒトフェロモンだけなく、特定者が使用する香水などの化粧品を吸着してもよい。
ヒトフェロモン吸着体としてのペンダントトップの形状は任意である。
ペンダントトップの吸汗性素材としては、多孔質金属、多孔質プラスチック、セラミック、木、紙、布帛（織布、不織布、編布）などを採用することができる。ペンダントトップを複数の部材から構成されるものとし、そのうちの少なくとも１つの部材を吸汗性素材から構成してもよい。
【００２２】
ヒトフェロモン吸着体はシート状積層体を有するものでもよい。吸汗性シートの素材としては、例えば紙、布帛などの吸汗性を有する各種のシートを採用することができる。
吸汗性シートの形状は任意である。例えば、円形、楕円形、ハート形などが挙げられる。
吸汗性シートは、シート状積層体から１枚ずつまたは複数枚ずつ剥がし、これをティッシュ収納体のティッシュの収納空間（内部空間）に挿入して使用する。
吸汗性シートの厚さは任意である。例えば、数１０μｍ〜数ｍｍ、特に１００μｍ〜５００μｍがヒトフェロモンの吸着量および使い易さの点で好ましい。
【００２３】
吸汗性シートに塗布された粘着剤としては、例えば、貼って剥がせる弱粘着性接着剤を採用することができる。その他、各種の接着剤や各種の糊（デンプンを主成分とした天然糊、合成糊など）を採用することができる。
粘着剤は、吸汗性シートの表面または裏面の全部、好ましくは裏面の一部（外周部、中央部など）に塗布される。
吸汗性シートが貼着されるティッシュ収納体の内面とは、具体的にはティッシュボックスの箱内面、ポケットティッシュの袋内面などである。
【００２４】
ティッシュ収納体としては、例えば、紙、プラスチック、金属、木、セラミックスなどからなる箱ティッシュやポケットティッシュを採用することができる。このうち、紙製の箱ティッシュとしては、例えば矩形状の紙箱の中に多数枚のティッシュが折り畳んで収納された一般的な市販品が含まれる。ヒトフェロモンが吸着されたティッシュは、ティッシュ収納体に収納されているため、ヒトフェロモンは大気分散しにくい。
「ヒトフェロモン吸着体の保管領域」とは、ティッシュ収納体のティッシュの収納空間でもよいし、この収納空間の一部に、通気孔付きの仕切り板（隔壁）によって区画した吸着体保管室でもよい。
この保管領域へのヒトフェロモン吸着体の出し入れは、ティッシュ収納体の一部（上板など）に形成されたティッシュ取り出し口からでも、これとは別にティッシュ収納体に形成された吸着体出し入れ口（開閉蓋付きも可能）からでもよい。
ここでのティッシュの使用とは、例えばティッシュにより鼻をかんだり、ティッシュを鼻に押し付けることである。こうすることで、ヒトフェロモンにより使用者の視床下部を直接刺激する。
【００２５】
吸着体ホルダは、ヒトフェロモン吸着体をティッシュ収納体のティッシュの収納空間の保管領域に保持する吸着体保持部と、吸着体保持部をティッシュ収納体のティッシュ取り出し口の形成部分に掛止する掛止部とを有している。
吸着体保持部としては、例えば、ヒトフェロモン吸着体に対する収納容器、保持（支持）部材（クランパなど）を採用することができる。
吸着体ホルダの掛止部としては、例えば各種のクリップ、マグネット、ホックなどを採用することができる。
【００２６】
ティッシュ収納体のティッシュ出し入れ口の形成部分のうち、掛止部が掛止される箇所は任意であるものの、ティッシュ出し入れ口の長さ方向の一端部が好ましい。この部分であれば、ティッシュの引き抜きの邪魔になりにくく、例えば、折り畳まれた複数枚のティッシュが一度に引き抜かれるおそれが小さい。
吸着体ホルダには、使用時にティッシュ収納体の外方に配置される任意の装飾部を、着脱自在または分離不能に設けてもよい。
【００２７】
装飾部としては、例えば写真立て、動物やマスコットといったフィギア（ぬいぐるみを含む）などを採用することができる。フィギアの素材は任意である。例えば、合成樹脂、金属（貴金属を含む）、宝石、セラミックス、木、布帛、紙などを採用することができる。なお、吸着体保持部に保持されるものは、ヒトフェロモン吸着体だけでなく、香りを楽しむために一般的な香水やアロマオイルなどの芳香剤の吸着体でもよい。
また、装飾部のみを楽しむために、ティッシュ収納体のティッシュ出し入れ口に掛止されるホルダと、ティッシュ収納体の外方に配置される装飾部とを組み合わせたものとしてもよい。この装飾部付きのホルダは、ティッシュ収納体のティッシュ出し入れ口の長さ方向の一端部に掛止するようにした方が、ティッシュ出し入れ口からのティッシュの１枚ずつの引き抜きの邪魔にならず、ティッシュ収納体を装飾部により飾ることができるために好ましい。
【考案の効果】
【００２８】
請求項１、請求項８〜請求項１０に記載の考案によれば、特定者がヒトフェロモン吸着体を身に着けることで、特定者の汗腺を通して放出されるヒトフェロモンがヒトフェロモン吸着体に吸着される。その後、フェロモン吸着体をティッシュ収納体に収納することで、ヒトフェロモンがティッシュに移る。次に、ティッシュ収納体からティッシュを取り出し、例えば鼻をかむことで、ヒトフェロモンを空気中にほとんど拡散させず、ティッシュから放散したヒトフェロモンによって、その効果を得たいと思う使用者の視床下部（脳下垂体）を直接刺激し、これを活性化することができる。
【００２９】
（天然の）ヒトフェロモンにおいて、使用者と特定者との間でこのような特別な効果が得られるのは、一説によれば、前述した免疫応答で問題となるＨＬＡ（ヒト主要組織適合抗原、ＨＬＡ遺伝子）が関与していると言われている（Suma Jacob, Martha K. McClintock, Bethanne Zelano, and Carole Ober:Paternally inherited HLA alleles are associated with women's choice of male odor.Nature Genetics 30, 175-179, 2002）。ＨＬＡとは親から子に受け継がれる「匂い」を構成する物質の１つで、体臭（ヒトフェロモン）を介して異性の好みに影響し、男女の恋愛において親と遺伝子が遠い人間の体臭を好む傾向があるとする説である。
【００３０】
ＨＬＡ遺伝子が免疫抗体の型を知らせることを証明した実験の１つが、１９９５年にスイス、ベルン大学のクラウス・ヴェーデキントが学生を使って行ったものである。これは、４４人の男子学生が２日間着用したＴシャツから得た４４枚の試験片の匂いを、５０人の女子学生にそれぞれ嗅がせてアンケートをとった。その結果、各女子学生が最も心地よいと感じた匂いは、その女子学生とＨＬＡ遺伝子の型が最も遠い遺伝子の男子学生のものであった。ヒト合成フェロモンは人工の物質で、ＨＬＡ遺伝子は存在しない。そのため、このような免疫学的な効果は得られない。
【００３１】
人間の汗腺から放出されるヒトフェロモンは微量である。そこで、本考案では、使用に際してヒトフェロモンをできるだけ外に逃がさないように、（１）ヒトフェロモンを吸着するヒトフェロモン吸着体と、（２）ヒトフェロモン吸着体が吸着したヒトフェロモンをティッシュに付着させるティッシュ収納体とを備え、ティッシュ収納体のティッシュの収納空間から取り出したヒトフェロモン付きのティッシュにより例えば鼻をかめる構成のキットとしている。その結果、従来の例えばヒト合成フェロモンを宝飾品に吸着させた場合のように、宝飾品の着用位置から鼻までの空間をヒト合成フェロモンが飛移する途中で、この放散物質が空気によって目的の効果が得られなくなるまで希釈されるおそれがない。
【００３２】
特に、請求項２および請求項８に記載の考案によれば、特定者がペンダントを首にかけることで、胸元の汗腺から放出されたヒトフェロモンを、ペンダントトップの吸汗性素材の部分に吸着することができる。このように、ヒトフェロモン吸着体としてペンダントトップを採用したため、特定者が違和感なくかつ簡単に自分のヒトフェロモンをヒトフェロモン吸着体に採取することができる。
【００３３】
請求項３および請求項８に記載の考案によれば、ヒトフェロモンを吸着したペンダントトップの使用時には、シート状積層体から吸汗性シートを剥がし、これをティッシュ収納体のティッシュの収納空間に配置する。このように、ペンダントトップ（ヒトフェロモン吸着体）を、容易に分離可能な多数の部材（シート）から構成したため、ペンダントトップの１回の装身によって得られたヒトフェロモンを、複数のティッシュ収納体に小分けすることができる。
【００３４】
請求項４および請求項８に記載の考案によれば、各吸汗性シートに粘着剤を塗布したため、シート状積層体から分離した吸汗性シートをティッシュ収納体の内面に貼着することができる。これにより、ティッシュ収納体からティッシュを引き抜いた際、吸汗性シートがティッシュ取り出し口から飛び出しにくい。
【００３５】
請求項５および請求項９に記載の考案によれば、開閉蓋が付いたヒトフェロモン吸着体専用の吸着体出し入れ口をティッシュ収納体に設けたため、ティッシュ引き抜き専用のティッシュ取り出し口を利用する場合に比べて、外部からヒトフェロモン吸着体を出し入れし易い。
【００３６】
請求項６および請求項１０に記載の考案によれば、ティッシュ収納体の保管領域にヒトフェロモン吸着体が保持されるように、吸着体ホルダをティッシュ収納体のティッシュ取り出し口の形成部分に掛止する。これにより、吸着体ホルダを利用して、ヒトフェロモン吸着体を簡単にティッシュ収納体の保管領域に保管することができる。
【００３７】
請求項７および請求項１０に記載の考案によれば、吸着体ホルダをティッシュ取り出し口に掛止した際、装飾部がティッシュ取り出し口の一端部上に露出される。これにより、あたかも装飾部をティッシュ収納体の一部のように観賞することができる。しかも、ティッシュ収納体が複数存在する場合、装飾部を識別標識として、ヒトフェロモン吸着体を掛止したティッシュ収納体を識別することができる。
【図面の簡単な説明】
【００３８】
【図１】この考案の実施例１に係るヒトフェロモンを利用した視床下部活性化キットの斜視図である。
【図２】この考案の実施例１に係るヒトフェロモン吸着体のティッシュ収納体の収納空間に収納した状態を示す縦断面図である。
【図３】この考案の実施例２に係るヒトフェロモンを利用した視床下部活性化キットの一部を構成するメッシュケース入りのヒトフェロモン吸着体の一部破断図を含む斜視図である。
【図４】この考案の実施例２に係るシート状のヒトフェロモン吸着体をポケットティッシュの内面に貼着した状態を示す斜視図である。
【図５】この考案の実施例３に係るヒトフェロモンを利用した視床下部活性化キットの一部を構成する吸着体ホルダの使用状態を示す要部拡大斜視図である。
【図６】この考案の実施例３に係る吸着体ホルダの他の形態の使用状態を示す拡大縦断面図である。
【考案を実施するための形態】
【００３９】
以下、この考案の実施例を具体的に説明する。ここでは、ヒトフェロモン吸着体としてペンダントトップを採用したものを例とする。
【実施例】
【００４０】
図１および図２において、１０はこの考案の実施例１に係るヒトフェロモンを利用した視床下部活性化キット（以下、活性化キット）である。活性化キット１０は、使用者と恋愛関係にある特定者が身に着け、かつ特定者の汗腺を通して放出されたヒトフェロモンを吸着するペンダントＰのペンダントトップ（ヒトフェロモン吸着体）１１と、ティッシュ１２の収納空間ａに、この収納空間ａと連通したペンダントトップ１１を含むペンダントＰの保管領域ｂを有し、かつティッシュ取り出し口１４が形成されたティッシュケース（ティッシュ収納体）１５とを備えたものである。
【００４１】
以下、この構成部品を具体的に説明する。
ペンダントトップ１１は、チェーン１６が挿通される小リング１７と、小リング１７が上部に固定され、かつプラチナ粉末をハート形に焼結した吸汗性を有する多孔質のトップ本体１９とからなる。
ティッシュケース１５は、上面が開口し、かつ折り重ねられた多数枚のティッシュ１２を収納する平面視して矩形状のプラスチック製のケース本体２０と、ケース本体２０の開口部分を被う平面視して矩形状のプラスチック製の蓋体２１とからなる。蓋体２１は、ケース本体２０の長さ方向に長い楕円形状のティッシュ取り出し口１４が形成された上板２２と、上板２２の４つの辺部に各上辺部が一体的に連結され、かつケース本体２０の周側板２０ａを外方から被う平面視して矩形枠状の周側カバー２３とからなる。
【００４２】
上板２２の長さ方向の一端部には、平面視して矩形状の窓部（吸着体出し入れ口）２４が形成されている。窓部２４には、透明なプラスチック製の開閉蓋２５が取り付けられている。上板２２の窓部２４の形成部の裏面には、４枚の側板と底板とにそれぞれ複数の通気孔１３ａが穿孔された平面視して矩形状の小箱１３が固着されている。小箱１３の内部空間が保管領域ｂである。ペンダントトップ１１に吸着されたヒトフェロモンは、各通気孔１３ａを通してティッシュ収納体１５の収納空間ａに拡散する。なお、開閉蓋２５付きの窓部２４は、蓋体２１の上板２２ではなく、小箱１３の一部（側板または底板）に設けてもよい。このようにすれば、一般的なティッシュケースとの見分けが付きにくい。
【００４３】
以下、図１および図２を参照して、活性化キット１０の使用方法を説明する。
まず、特定者がペンダントＰを数日間着用する。これにより、特定者の胸元の汗腺から放出されたヒトフェロモンが、多孔質素材のトップ本体１９に吸着される。なお、ペンダントＰの着用の際に、特定者が使用している香水をトップ本体１９に滴下してもよい。着用してから数日後、特定者はペンダントＰを外し、これを使用者にプレゼントする。このとき、トップ本体１９に吸着されたヒトフェロモンは微量であるため、気密式のチャック付きプラスチック袋などに収納して渡した方が望ましい。
【００４４】
その後、使用者は、開蓋した窓部２４を通して、ペンダントＰを小箱１３の保管領域ｂに保管し（ペンダントトップ１１のみを保管してもよい）、開閉蓋２５を閉める。これにより、小箱１３の各通気孔１３ａを通して、トップ本体１９のヒトフェロモンがティッシュケース１５の収納空間ａに拡散する。その結果、所定時間の経過後は、特定者のヒトフェロモンが全てのティッシュ１２に吸着される。また、開閉蓋２５は透明であるため、使用者はいつでも箱の外からペンダントＰを眺めることができる。
【００４５】
ティッシュ使用時には、使用者がティッシュ取り出し口１４からティッシュ１２を引き抜いて鼻をかむ。このとき、使用者の鋤鼻器官が、ティッシュ１２から放散した放散物質（ヒトフェロモン）を感知する。これにより、使用者の視床下部がヒトフェロモンによって直接刺激され、これを活性化することができる。すなわち、使用者と恋愛関係にある特定者のヒトフェロモンを使用者が嗅いだ際にのみ認められる「性的魅力および感情的関心による注目を強く引き起こす効果」や「高い癒し効果」を得ることができる。これらの効果は、不特定多数の人間を対象として大量生産された従来のヒト合成フェロモンでは得られない本考案特有の効果である。なお、ヒトフェロモンの効果が低下した場合には、保管領域ｂからペンダントＰを取り出し、再度、特定者に着用してもらえばよい。
【００４６】
上述したように、人間の汗腺から放出されるヒトフェロモンは微量である。そこで、実施例１では、使用に際してヒトフェロモンをできるだけ外に逃がさないように、（１）ヒトフェロモンを吸着するペンダントトップ１１と、（２）これに吸着したヒトフェロモンをティッシュ１２に付着させるティッシュケース１５とを備え、その収納空間ａから取り出したヒトフェロモン付きのティッシュ１２によって鼻をかむという構成のキットを採用した。その結果、従来のヒト合成フェロモン（天然のヒトフェロモンも同じ）を例えばペンダント（宝飾品）に吸着させた場合のように、「ヒト合成フェロモンがペンダントの着用位置から鼻までの空間を飛移するあいだに、この放散物質が空気により希釈されて、目的の効果がほとんど得られなくなる」というおそれがない。
【００４７】
次に、図３および図４を参照して、この考案の実施例２に係るヒトフェロモンを利用した視床下部活性化キットを説明する。
実施例２の活性化キット１０Ａの特徴は、実施例１のペンダントトップ１１に代えて、表裏一対のメッシュ蓋５０ａがヒンジ５０ｂにより連結されたハート形のメッシュケース５０に、多数枚の吸汗性シート３０を分離可能に積層したシート状積層体３１を収納してなるペンダントトップ（ヒトフェロモン吸着体）１１Ａを採用し（図３）、また、実施例１の箱形のティッシュケース１５に代えて、ポケットティッシュ（ティッシュ収納体）１５Ａを採用した（図４）点である。
【００４８】
吸汗性シート３０は、縦横数ｃｍのハート形の紙（または不織布）である。各吸汗性シート３０の外周部の裏面には、貼って剥がせる水溶性アクリル系の弱粘着性接着剤（粘着剤）３２が塗布されている。なお、弱粘着性接着剤３２が塗布されていない吸汗性シート３０を採用してもよい。この場合には、吸汗性シート３０をポケットティッシュ１５Ａの収納空間ａに挿入して使用する。
シート状積層体３１は、各吸汗性シート３０を弱粘着性接着剤３２により粘着して重ね合わせ、その後、ハート形に型抜きしたものである。
【００４９】
次に、図３および図４を参照して、この実施例２の活性化キット１０Ａの使用方法を説明する。
使用時には、メッシュケース５０を開け（図３）、シート状積層体３１から吸汗性シート３０を１枚剥がし、これをポケットティッシュ１５Ａのティッシュ取り出し口１４Ａから収納空間ａに挿入し、外袋１５ａの内面に貼着する（図４）。
このように、吸汗性素材からなる部材として、多数枚の吸汗性シート３０を積層したシート状積層体３１を採用したため、ペンダントトップ１１Ａを有するペンダンＰの１回の装身で得られたヒトフェロモンを、複数のポケットティッシュ１５Ａに分けて使用することができる。ポケットティッシュ１５Ａの収納空間ａは狭いことから、１枚の吸汗性シート３０に付着したヒトフェロモンでも十分に目的の効果が得られる。
さらに、シート状積層体３１から分離した吸汗性シート３０を、弱粘着性接着剤３２を介して外袋１５ａの内面に貼着するように構成したため、ポケットティッシュ１５Ａからティッシュ１２を引き抜いた際、吸汗性シート３０がティッシュ取り出し口１４Ａから飛び出しにくい。
その他の構成、作用および効果は、実施例１から推測可能な範囲であるため、説明を省略する。
【００５０】
次に、図５および図６を参照して、この考案の実施例３に係るヒトフェロモンを利用した視床下部活性化キットを説明する。
図５に示すように、実施例３の活性化キット１０Ｂの特徴は、市販されている箱ティッシュの紙箱（ティッシュ収納体）１５Ｂのティッシュ取り出し口１４Ｂに掛止され、かつペンダントトップ１１をティッシュ１２の収納空間ａの保管領域ｂに保持する吸着体ホルダ４１を備えた点である。
【００５１】
市販の箱ティッシュの紙箱１５Ｂには、その上板１５ｂの中央部に、長尺な楕円形状のティッシュ取り出し口１４Ｂが形成されている。上板１５ｂの裏面には、ティッシュ取り出し口１４Ｂを裏側から被うようにスリット４２入りの樹脂フィルム４３が展張されている。
吸着体ホルダ４１は、紙箱１５Ｂのティッシュ取り出し口１４Ｂの形成部分の一端部に掛止されるピンチ（洗濯バサミ）状のホルダ掛止部４４と、ホルダ掛止部４４の下部に固定され、チェーン１６が外されたペンダントトップ１１が保持される吸着体保持部４０と、ホルダ掛止部４４の上部に固定された小型の写真立て（装飾部）４５とを備えている。
【００５２】
ホルダ掛止部４４は、各ステンレス薄板製のピンチ上板４４ａとピンチ下板４４ｂとを、これらが常閉するように付勢するコイルばね４４ｃが挿通された短尺な回動ピン４４ｄを介して、開閉自在に連結した構造を有している。ピンチ上板４４ａの上面には写真立て４５の架台４５ａが固定されている。また、ピンチ下板４４ｂには、ペンダントトップ１１の幅方向の中間部を掛止する凹部４４ｅが屈曲形成されている。
写真立て４５に代えて、動物やマスコットなどのフィギア（装飾部）４５Ａをホルダ掛止部４４に取り付けて、市販の箱ティッシュの紙箱１５Ｂをフィギア４５Ａにより飾ることができる（図６）。写真立て４５やフィギア４５Ａは、ホルダ掛止部４４に着脱自在とし、別のものと交換できるようにしてもよい。着脱自在な構造としては、例えば雄雌の嵌合構造、マグネット、面状ファスナなどを採用することができる。なお、図６のものでは、ピンチ下板４４ｂの凹部４４ｅが、ペンダントトップ１１の全体を収納するポケット部となっている。また、フィギア４５Ａのみを楽しむために、ピンチ下板４４ｂを凹部４４ｅが存在しない平板状のものとしてもよい（図６の二点鎖線）。
【００５３】
次に、図５を参照して、実施例３の活性化キット１０の使用方法を説明する。
まず、写真立て４５に、例えば特定者などの写真を入れるとともに、ピンチ下板４４ｂの掛止凹部４４ｅにペンダントトップ１１を掛止する。その後、吸着体ホルダ４１を紙箱１５Ｂのティッシュ取り出し口１４Ｂの一端部に、ホルダ掛止部４１を介して、樹脂フィルム４３のスリット４２の一端部を若干延長させて掛止する。これにより、ペンダントトップ１１は、ティッシュ取り出し口１４Ｂの一端部直下の保管領域ｂに保管される。その後、所定時間が経過することで、ペンダントトップ１１に吸着されたヒトフェロモンが、紙箱１５Ｂの収納空間ａに自然拡散される。
【００５４】
このように構成したことで、吸着体ホルダ４１を介して、ペンダントトップ１１を出し入れ容易に紙箱１５Ｂの保管領域ｂに収納することができる。
また、上述したように、吸着体ホルダ４１を紙箱１５Ｂのティッシュ取り出し口１４Ｂの形成部部の一端部に掛止することで、ティッシュ取り出し口１４Ｂの一端部の上方に写真立て４５が配置される。これにより、ティッシュ取り出し口１４Ｂからのティッシュ１２の１枚ずつの引き抜きに支障なく、写真立て４５の写真を楽しむことができる。仮に、吸着体ホルダ４１を紙箱１５Ｂのティッシュ取り出し口１４Ｂの長さ方向の中間部に掛止した場合には、樹脂フィルム４３のスリット４２の長さ方向の中間部が片側だけ大きく押し広げられる。これにより、スリット付き樹脂フィルム４３の機能である、折り畳まれたティッシュ１２を１枚ずつの分離状態でティッシュ取り出し口１４から引き抜くことができず、複数枚のティッシュ１２がまとめて引き抜かれるおそれがある。
【００５５】
さらに、写真立て４５は顕著な目印となるため、使用者の周辺に同じ箱ティッシュが複数存在しても、それらの中からペンダントＰを収納した紙箱（箱ティッシュ）１５Ｂを、簡単に識別することができる。
その他の構成、作用および効果は、実施例１から推測可能な範囲であるため、説明を省略する。
【産業上の利用可能性】
【００５６】
この考案は、使用者と特定の関係にある者のヒトフェロモンを利用して使用者の視床下部を活性化させる技術として利用可能である。
【符号の説明】
【００５７】
１０，１０Ａ，１０Ｂ  ヒトフェロモンを利用した視床下部活性化キット
１１，１１Ａ  ペンダントトップ（ヒトフェロモン吸着体）
１２  ティッシュ
１３  保管領域
１４  ティッシュ取り出し口
１５  ティッシュケース（ティッシュ収納体）
１５Ａ  ポケットティッシュ（ティッシュ収納体）
１５Ｂ  紙箱（ティッシュ収納体）
３０  吸汗性シート
３１  シート状積層体
３２  弱粘着性接着剤（粘着剤）
４０  吸着体保持部
４１  吸着体ホルダ
４５  写真立て（装飾部）
４５Ａ  フィギア（装飾部）
ａ  収納空間
【図１】
0003192474.tif 000003
【図２】
0003192474.tif 000004
【図３】
0003192474.tif 000005
【図４】
0003192474.tif 000006
【図５】
0003192474.tif 000007
【図６】
0003192474.tif 000008